(57)【要約】【課題】椅子を直方体で形成するとともにその６面の全面を有効利用して６段階の座面を形成し、多目的に利用できる椅子を提供する。【解決手段】直方体の一面Ａを平面に形成し、他の５面Ｂ〜Ｆに凹部２ａ〜６ａを形成して、前記一面Ａと他の５面Ｂ〜Ｆの凹部２ａ〜６ａの底面を座面１〜６にするとともに、前記各凹部２ａ〜６ａの深さをそれぞれ相違させる。各面Ａ〜Ｆを選定して上向きにすることにより、１個の椅子で６段階の高さの座面に変更する。【選択図】          図１
2004350913.tif 000002
【特許請求の範囲】
【請求項１】
直方体の少なくとも５面に凹部を形成してその凹部の底面を座面にするとともに、該各凹部の深さをそれぞれ相違させたことを特徴とする椅子。
【請求項２】
直方体の一面を平面に形成し、他の５面に凹部を形成して、前記一面と他の５面の凹部の底面を座面にするとともに、前記各凹部の深さをそれぞれ相違させたことを特徴とする椅子。
【請求項３】
立方体に前記の凹部を形成した請求項１又は２記載の椅子。
【請求項４】
樹脂で一体成形した請求項１又は２又は３記載の椅子。
【発明の詳細な説明】
【０００１】
【発明の属する技術分野】
本発明は椅子に関する。
【０００２】
【従来の技術】
従来、１個の椅子において、その座面は通常１つであり、その座面までの高さが一定であるため、例えば１個の椅子を大人用と子供用に共用することができない。
【０００３】
【発明が解決しようとする課題】
ところで、家庭等において、１個の椅子で、親と子供が共用できるように多数の座面を有したり、座面の高さを多段階に変化させて、その使用目的にあった高さの座面を選定できると、多目的な趣のある椅子になる。
【０００４】
そこで本発明は、６面を有する直方体の１個の椅子で、その６面を有効に利用して６段階の高さの座面を形成することができる椅子を提供することを目的とするものである。
【０００５】
【課題を解決するための手段】
前記の課題を解決するために、請求項１記載の発明は、直方体の少なくとも５面に凹部を形成してその凹部の底面を座面にするとともに、該各凹部の深さをそれぞれ相違させたことを特徴とするものである。
【０００６】
請求項２記載の発明は、直方体の一面を平面に形成し、他の５面に凹部を形成して、前記一面と他の５面の凹部の底面を座面にするとともに、前記各凹部の深さをそれぞれ相違させたことを特徴とするものである。
【０００７】
請求項３記載の発明は、前記請求項１又は２の発明において、立方体に前記の凹部を形成したものである。
【０００８】
請求項４記載の発明は、前記請求項１又は２又は３の発明において、樹脂で一体成形したものである。
【０００９】
【発明の実施の形態】
本発明の好ましい実施の形態を図に示す実施例に基づいて説明する。
【００１０】
本実施例の椅子１０は、樹脂製の直方体の６面のうち、５面に凹部を形成してその凹部を座面とし、他方の１面は凹面を形成することなく平面の座面とし、かつ、前記各凹部の深さをそれぞれ相違させて、６面全部を座面としたものである。なお、前記の平面とは、前記のような凹状の座面を形成しない平らな面を意味するもので、平滑面や粗面を含むものである。
【００１１】
図に示す実施例について各座面の形成状態を説明する。
図の実施例は、第１面Ａ〜第６面Ｆを有する立方体において、その第１面Ａは凹部が形成されていない平面に形成されており、該第１面Ａが第１の座面１となっている。この第１の座面１を図１及び図２に示すように下側にし、図１の矢印Ｘ方向から見た面（Ｄ面）を正面として、各凹部を説明する。なお、前記立方体の一辺の長さ（高さ）Ｈ１を図４（ａ）に示すように４００ｍｍとした。また、図４における寸法の単位はｍｍである。
【００１２】
前記平面に形成された第１面Ａと反対側の第２面Ｂには、上面側と正面側と右側面側を開口した凹部２ａが形成され、該凹部２ａの底面が第２の座面２となっている。該凹部２ａの深さは後述する各凹部の深さよりも最も浅く設定されており、その深さＤ２を４０ｍｍとした（図４（ｂ）参照）。また、該凹部２ａの幅Ｌ２は２５０ｍｍに設定した。また、前記第２の座面２の外側の角部には、凹部２ａの深さＤ２と同等の高さの足部２ｂが突設されている。
【００１３】
右側面の第３面Ｃには、右側面側と正面側を開口した凹部３ａが形成され、該凹部３ａの底面が第３の座面３となっている。該凹部３ａの深さＤ３は前記凹部２ａの深さＤ２よりも深く形成され、実施例では８０ｍｍに設定されている（図４（ｃ）参照）。また、該凹部３ａの幅Ｌ３は２００ｍｍに設定した。
【００１４】
正面の第４面Ｄには、正面側と左側面側を開口した凹部４ａが形成され、該凹部４ａの座面が第４の座面４となっている。該凹部４ａの深さＤ４は前記凹部３ａの深さＤ３よりも深く形成され、実施例では１００ｍｍに設定されている（図４（ｄ）参照）。また、該凹部４ａの幅Ｌ４は２００ｍｍに設定した。
【００１５】
背面の第５面Ｅには、背面Ｅ側と左側面Ｆ側を開口した凹部５ａが形成され、該凹部５ａにおける背面Ｅ側を表面とする底面が第５の座面５となっている。該凹部５ａにおける背面Ｅ側からの深さＤ５は前記凹部４ａの深さＤ４よりも深く形成され、実施例では２３０ｍｍに設定した（図４（ｅ）参照）。また、該凹部５ａの幅Ｌ５は２４０ｍｍに設定した。
【００１６】
前記凹部５ａは、左側面の第６面Ｆを表面側としての凹部６ａともなっており、該凹部６ａにおける左側面Ｆ側を表面とする底面が第６の座面６となっている。該凹部６ａにおける左側面Ｆ側からの深さＤ６は前記凹部５ａの深さＤ５よりも深く形成され、実施例では２６０ｍｍに設定した（図４（ｆ）参照）。また、該凹部６ａの幅Ｌ６は２４０ｍｍに設定した。
【００１７】
各凹部２ａ〜６ａを前記の寸法に形成することにより、該各凹部２ａ〜６ａ以外の部分に、図４に示すような寸法の肉部が残り、各凹部２ａ〜６ａを形成することができる。
【００１８】
前記のように形成された椅子の使用方法を図４及び図５〜図１０により説明する。
【００１９】
先ず、図４（ａ）及び図５に示すように、椅子１０を、その第２面Ｂを下向きにし第１面Ａを上向きにして床面に置くことにより、凹部のない第１の座面１が、各座面のうちでもっとも高い座面となり、この座面１に着座することができる。この第１の座面１の床面からの高さＨ１は４００ｍｍとなる。この使用状態においては足部２ｂによって椅子１０のガタつきは防止される。
【００２０】
次に、図４（ｂ）及び図６に示すように、第１面Ａを下向きにし、第２面Ｂを上向きして床面に置くことにより、第２面Ｂに形成された凹部２ａの底面からなる第２の座面２に着座することができる。この第２の座面２の床面からの高さＨ２は３６０ｍｍとなり、前記第１の座面１よりも低い座面となる。
【００２１】
次に図４（ｃ）及び図７に示すように、第６面Ｆを下向きにして第３面Ｃを上向きにして床面に置くことにより、第３面Ｃに形成された凹部３ａの底面からなる第３の座面３に着座することができる。この第３の座面３の床面からの高さＨ３は３２０ｍｍとなり、前記第２の座面２よりも低い座面となる。
【００２２】
次に、図４（ｄ）及び図８に示すように、第５面Ｅを下向きにし、第４面Ｄを上向きにして床面に置くことにより、第４面Ｄに形成された凹部４ａの底面からなる第４の座面４に着座することができる。この第４の座面４の床面からの高さＨ４は３００ｍｍとなり、前記第３の座面３よりも低い座面となる。
【００２３】
次に、図４（ｅ）及び図９に示すように、第４面Ｄを下向きにし、第５面Ｅを上向きにして床面に置くことにより、第５面Ｅに形成された凹部５ａの底面からなる第５の座面５に着座することができる。この第５の座面５の床面からの高さＨ５は１７０ｍｍとなり、前記第４の座面４よりも低い座面となる。
【００２４】
次に、図４（ｆ）及び図１０に示すように、第３面Ｃを下向きにし、第６面Ｆを上向きにして床面におくことにより、第６面Ｆに形成された凹部６ａの底面からなる第６の座面６に着座することができる。この第６の座面６の床面からの高さＨ６は１４０ｍｍとなり、前記第５の座面５よりも低く、各座面のうちで最も低い座面となる。
【００２５】
また、前記の各使用状態においては、各状態での床面に接する部分、すなわち凹部の外側に形成された凸部が略コ字状や略Ｈ状に配置されているため、安定した着座ができる。
【００２６】
以上のような使用方法により座面を６段階の高さに変化させることができ、使用者及び使用目的に応じて所望の高さの座面を選定して着座することができる。
【００２７】
なお、前記の各寸法は一例であり、椅子の大きさにより各寸法を所望に設定するものである。また、各凹部は前記のように、６面を用いて６段階の座面を形成できるように設ければよく、前記の寸法、配置に限定するものではない。
【００２８】
更に、前記実施例は、椅子を立方体に形成してその５面に凹部を形成したが、このような立方体に限ることなく、直方体に形成してその５面に、各凹部が干渉しないように凹部を形成してもよい。
【００２９】
更に、前記実施例では第１面Ａを凹部のない平面に形成し、他の５面に凹部を形成したが、該第１面Ａに、前記第２面Ｂの凹部２ａの深さより浅い凹面を形成してその底面を第１の座面としてもよい。したがって、６面のうち、少なくとも５面に凹部を形成してもよく、また、６面の全面に凹部を形成してもよい。
【００３０】
また、前記平面からなる第１面Ａを、物を置く台として使用してもよく、更に第１面Ａにコップなどを嵌めて立てる穴を設けてコップを置くことができるようにするなど、第１面を座面及びそれ以外の用途に適合するように形成してもよい。
また、前記各凹部を有する椅子全体は樹脂ブロー成形などにより、樹脂で一体成形するとよいが、樹脂などで分割成形したものを組み付けるようにしてもよい。
【００３１】
【発明の効果】
以上のようであるから本発明によれば、直方体の６面の全面を有効に利用して、１個の椅子に床からの高さが異なる６段階の座面を形成することができ、１個の椅子で、大人と子供が共用でき、また、使用目的に合わせて所望の高さの座面を選定して使用できるなど、多目的に利用できる趣のある椅子を提供することができる。
【図面の簡単な説明】
【図１】本発明の実施例を示す斜視図。
【図２】図１の反対側から見た斜視図。
【図３】図１のＸ方向から見た面を正面図として各面を表したもので、（ａ）は正面図、（ｂ）は背面図、（ｃ）は左側面図、（ｄ）は右側面図、（ｅ）は平面図、（ｆ）は底面図。
【図４】（ａ）〜（ｆ）は本発明の使用方法を示す図。
【図５】図４（ａ）での使用状態を示す斜視図。
【図６】図４（ｂ）での使用状態を示す斜視図。
【図７】図４（ｃ）での使用状態を示す斜視図。
【図８】図４（ｄ）での使用状態を示す斜視図。
【図９】図４（ｅ）での使用状態を示す斜視図。
【図１０】図４（ｆ）での使用状態を示す斜視図。
【符号の説明】
１〜６    座面
２ａ〜６ａ    凹部
Ａ〜Ｆ    面
【図１】
2004350913.tif 000003
【図２】
2004350913.tif 000004
【図３】
2004350913.tif 000005
【図４】
2004350913.tif 000006
【図５】
2004350913.tif 000007
【図６】
2004350913.tif 000008
【図７】
2004350913.tif 000009
【図８】
2004350913.tif 000010
【図９】
2004350913.tif 000011
【図１０】
2004350913.tif 000012